(57)【要約】      （修正有）【課題】コンクリートブロックの上面にプランターが設置可能であって、かつ水やりの回数を低減させ、土壌が乾燥して植物が枯れる可能性を低減させることができるプランター保持コンクリートブロックを提供する。【解決手段】プランター１０は、上面が矩形を有し、底面が上面より小さい矩形を有する容器部１１と、容器部１１の側面上方端部から側方方向に延出した延出部と、を有しているプランター１０と、上面に設けられた貯水部２１と、貯水部２１の周囲に設けられた延出部支持部２２と、貯水部２１の内側壁から外壁まで貫通している水位調整用貫通孔２３及び排水用貫通孔２４と、を有しているコンクリートブロック２０とで構成した。【選択図】図２
2012110254.tif 000002
【特許請求の範囲】
【請求項１】
植物を栽培する土壌を入れる容器部と、前記容器部の対向する側面上部から側方に延出した延出部と、を有するプランターと、
前記プランターの高さより深く形成された前記容器部を挿入可能な穴からなる貯水部と、前記貯水部の対向する側壁に形成された前記延出部を上面で支持する延出部支持部と、前記延出部支持部に支持された前記プランターの底面の高さより高い位置に設けられた前記貯水部の内側壁から外壁まで貫通する水位調整用貫通孔と、を有するコンクリートブロックと、
を備えたことを特徴とするプランター保持コンクリートブロック。
【請求項２】
請求項１に記載のプランター保持コンクリートブロックにおいて
さらに、前記貯水部の底面の高さ位置又はその近傍に設けられた前記貯水部の側面から外壁まで貫通する排水用貫通孔と、前記排水用貫通孔を封止する栓と、を備えたことを特徴とする請求項１に記載のプランター保持コンクリートブロック。
【請求項３】
前記延出部支持部は、前記コンクリートブロック上表面から、前記プランターの前記延出部の高さと同じ又はそれ以上の高さ分一段下がって配置されていることを特徴とする請求項１又は２に記載のプランター保持コンクリートブロック。
【請求項４】
前記貯水部は、前記プランターを設置した際に、前記開口内壁と前記プランターの間に隙間が形成可能であることを特徴とする請求項１から３のいずれか１項に記載のプランター保持コンクリートブロック。
【請求項５】
前記貯水部には、前記プランターを複数設置可能であり、かつ複数設置した際に前記貯水部の開口に隙間が形成可能であることを特徴とする請求項１から４のいずれか１項に記載のプランター保持コンクリートブロック。
【請求項６】
前記コンクリートブロックは、外壁に前記水位調整用貫通孔から前記コンクリートブロックの下端まで通じる水誘導用溝部を備えていることを特徴とする請求項１から５のいずれか１項に記載のプランター保持コンクリートブロック。
【請求項７】
前記コンクリートブロックの外壁には、隣接配置されるガードレールの凹凸と同様の凹凸を有する横溝が設けられていることを特徴とする請求項１から６のいずれか１項に記載のプランター保持コンクリートブロック。
【請求項８】
前記コンクリートブロックの両端は、隣接するコンクリートブロックと連結可能に形成されていることを特徴とする請求項１から７のいずれか１項に記載のプランター保持コンクリートブロック。
【発明の詳細な説明】
【技術分野】
【０００１】
本発明は、プランター保持コンクリートブロックに関する。
【背景技術】
【０００２】
ブロック塀用プランター設置具として、ブロック塀を利用してプランターで草花や野菜の栽培をするとき落下事故など無いようにプランターをブロックの上に安全に設置でき、かつ装脱着が容易なものとして、ブロック塀用プランター設置具をブロック塀に差し込み取り付けるタイプのものが提案されている（特許文献１）。
【０００３】
一般に、コンクリートブロック等を利用してプランターを設置する際に、課題とされるものとして水やりがある。プランターという限られた土壌で植物を栽培する場合、頻繁に水やりを行わなければならず、大変煩雑である。しかし、上記ブロック塀用プランター設置具は、土壌の乾燥を防止し、水やりの煩雑さを回避するという観点からはなんらの技術的解決手段もなされていないものであった。
【特許文献１】特開２０１０−９４１１９号公報
【発明の開示】
【発明が解決しようとする課題】
【０００４】
そこで、本発明は、こうした課題を鑑みてなされたものであり、コンクリートブロックの上面にプランターが設置可能であって、かつ水やりの回数を低減させ、土壌が乾燥して植物が枯れる可能性を低減させることができるプランター保持コンクリートブロックを提供することを主目的とする。
【課題を解決するための手段】
【０００５】
本発明は、上述の目的を達成するために、以下の手段を採った。
【０００６】
本発明にかかるプランター保持コンクリートブロックは、
植物を栽培する土壌を入れる容器部と、前記容器部の対向する側面上部から側方に延出した延出部と、を有するプランターと、
前記プランターの高さより深く形成された前記容器部を挿入可能な穴からなる貯水部と、前記貯水部の対向する側壁に形成された前記延出部を上面で支持する延出部支持部と、前記延出部支持部に支持された前記プランターの底面の高さより高い位置に設けられた前記貯水部の内側壁から外壁まで貫通する水位調整用貫通孔とを、を有するコンクリートブロックと、
を備えたことを特徴とする。
【０００７】
かかるプランター保持コンクリートブロックによれば、コンクリートブロックの貯水部にプランターが設置されている。その際に、プランターは延出部支持部によって延出部が支持されるので、プランターの底面はコンクリートブロックの貯水部の中位に浮いている状態に保持される。一方でコンクリートブロックの貯水部は、載置されるプランター底面の高さより高い位置に水位調整用貫通孔が設けられているので、その水位調整用貫通孔まで水を貯水することができる。従って、貯水部に水を溜めれば、プランター内の土壌の少なくとも一部がコンクリートブロックの貯水部に貯水された水に浸るので、プランター内の土壌は水に浸っている状態である限り、湿潤な状態を保つことができる。そのため、貯水部を有しないコンクリートブロックと比較して、土壌の乾燥の可能性を低減させることができ、プランターに水やりをする必要性を低減させることができる。結果として、プランター内の植物が枯れる可能性を低減させることができる。一方で、大雨が降ったり、水をやり過ぎたりした場合であっても、貯水部内の水は水位調整用貫通孔によって一定の高さに保たれるので、コンクリートブロック内の水位が高くなりすぎて、プランター内に水が浸透しすぎたりすることを防止することができる。よって、植物が根腐れしたりする可能性を低減させることができる。なお、「プランターの底面の高さより高い位置に設けられた」とは、水位調整用貫通孔の上面がプランターの底面より高い位置にあることをいう。
【０００８】
また、本発明にかかるプランター保持コンクリートブロックとして、さらに、前記貯水部の底面の高さ位置又はその近傍に設けられた前記貯水部の側面から外壁まで貫通する排水用貫通孔と、前記排水用貫通孔を封止する栓と、を備えていてもよい。
【０００９】
かかる構成を採用することによって、貯水部に溜まった水を排出することが可能になる。これにより、貯水部の水が汚れた場合に容易に水を交換することができるようになる。また、プランター保持コンクリートブロックを移動する際に、水を排出した状態で移動することができる。
【００１０】
さらに、本発明にかかるプランター保持コンクリートブロックとして、前記延出部支持部は、前記コンクリートブロック上面から、前記プランターの前記延出部の高さと同じ又はそれ以上の高さ分一段下がって配置されていてもよい。
【００１１】
かかる構成を採用することによって、プランター全体がコンクリートブロックの上面より下方に配置される。そのため、コンクリートブロックを側方から視認した場合に、プランターが見えず、あたかもコンクリートブロックに植物等を栽培しているように見せることができる。そのため、プランターがコンクリートブロック上面から飛び出ている状態と比較して美観性に優れたプランター保持コンクリートブロックとすることができる。
【００１２】
さらに、本発明にかかるプランター保持コンクリートブロックとして、前記貯水部は、前記プランターを設置した際に、前記開口内壁と前記プランターの間に隙間が形成可能であってもよい。
【００１３】
かかる構成を採用することによって、隙間が発生しないようにプランターを設置した場合と比較して、一旦設置したプランターの取り外しが容易になる。また、プランター下部の貯水部に水を直接注ぎやすくすることができる。また、雨が降った場合等に貯水部に直接降る領域があるので、雨水を溜めやすくなる。
【００１４】
さらに、本発明にかかるプランター保持コンクリートブロックとして、前記プランターを複数設置可能であり、かつ複数設置した際に前記貯水部の開口に隙間が形成可能であってもよい。
【００１５】
かかる構成を採用することによって、プランターが二つ設置可能であるのでコンクリートブロックの上面側により大きな栽培面積を確保することができる。そのため、緑化効果に優れたプランター保持コンクリートブロックにすることができる。また、隙間が発生するように形成することにより、前述した効果と同様に、一旦設置したプランターの取り外しが容易になる。また、プランター下部の貯水部に水を直接注ぎやすくすることができる。また、雨が降った場合等に貯水槽に直接降る領域があるので、雨水を溜めやすくなる。
【００１６】
さらに、本発明にかかるプランター保持コンクリートブロックとして、外壁に前記水位調整用貫通孔から前記コンクリートブロックの下端まで通じる水誘導用溝部を備えていてもよい。
【００１７】
かかる構成を採用することによって、貯水部から水位調整用貫通孔を通じて排出される水が外壁面に広がるのを防止することができる。よって、外壁面に水が流れた跡が残るのを防止することができる。
【００１８】
さらに、本発明にかかるプランター保持コンクリートブロックとして、前記コンクリートブロックの外壁には、隣接配置されるガードレールの凹凸と同様の凹凸を有する横溝が設けられていてもよい。
【００１９】
かかる構成を採用することによって、ガードレールと併設した場合に周囲のガードレールと違和感のない外観を呈するプランター保持コンクリートブロックとすることができる。
【００２０】
さらに、本発明にかかるプランター保持コンクリートブロックとして、前記コンクリートブロックの両端は、隣接するコンクリートブロックと連結可能に形成されていてもよい。
【００２１】
かかる構成を採用することによって、隣接するブロックと連続性を有する境界を形成することができるようになる。連結可能なコンクリートブロックとしては、例えば、長手方向端部に、両端部が円弧状に形成されてなるとともに、該両端の一方の端部に上側が側方に突出して形成されてなる上側突出部と、反対側の他方の端部に下側が側方に突出して形成されてなる下側突出部と、を備えてなり、隣接するコンクリートブロックと嵌合した際に、嵌合部を支点として回動自在となるように前記下側突出部の上面に円形凸状に形成された嵌合凸部と、上側突出部の下面に円形凹状に形成された嵌合凹部とを備えているもの等がある。
【発明の効果】
【００２２】
本発明に係るプランター保持コンクリートブロックによれば、水やりを行う回数を低減させることができ、土壌が乾燥する可能性を低減させることができるため、植物が枯れる可能性を低減することができる。
【図面の簡単な説明】
【００２３】
【図１】本発明の実施例１に係るプランター保持コンクリートブロックの構成の概略を示す斜視図である。
【図２】図１のプランター保持コンクリートブロックのＡ−Ａ断面図である。
【図３】本発明の実施例１に係るプランター保持コンクリートブロックのプランターの構成の概略を示す斜視図である。
【図４】本発明の実施例１に係るプランター保持コンクリートブロックのコンクリートブロックの構成の概略を示す斜視図である。
【図５】本発明の実施例１に係るプランター保持コンクリートブロックの使用状態を示す斜視図である。
【図６】本発明の実施例２に係るプランター保持コンクリートブロックの使用状態を示す斜視図である。
【図７】本発明の実施例２に係るプランター保持コンクリートブロックとガードレールを設置した状態を示す斜視図である。
【図８】本発明の実施例３に係るプランター保持コンクリートブロックの使用状態を示す斜視図である。
【図９】本発明の実施例３に係るプランター保持コンクリートブロックとガードレールを設置した状態を示す斜視図である。
【発明を実施するための形態】
【００２４】
以下、本発明を実施するための形態について、図面に沿って詳細に説明する。なお、以下に説明する実施例及び図面は、本発明の実施形態の一部を例示するものであり、これらの構成に限定する目的に使用されるものではない。なお、各図において対応する構成要素には同一又は類似の符号が付されている。
【実施例１】
【００２５】
図１は、本発明のプランター保持コンクリートブロック１００の実施例１の構成の概略を示す斜視図である。図２は、本発明のプランター保持コンクリートブロック１００のＡ−Ａ断面図である。実施例１のプランター保持コンクリートブロック１００は、図１及び図２に示すように、植物を栽培するためのプランター１０と、コンクリートブロック２０と、を備えている。
【００２６】
プランター１０は、図３に示すように、上面が矩形を有し、底面が上面より小さい矩形を有する容器部１１と、容器部１１の側面上方端部から側方に延出した延出部１２を有している。
【００２７】
コンクリートブロック２０は、図４に示すように、主として上面に設けられた貯水部２１と、貯水部２１の周囲に設けられた延出部支持部２２と、貯水部２１の内側壁からコンクリートブロックの外壁まで貫通している水位調整用貫通孔２３及び排水用貫通孔２４と、外壁に垂直に設けられた水誘導用溝部２５と、を有している。
【００２８】
貯水部２１は、上面が開口した略直方体に形成されている。貯水部２１の幅はプランター１０の容器部の幅Ａとほぼ同様の幅に形成され、貯水部２１の長さはプランター１０の長さＢよりも長く形成された矩形の開口を有している。貯水部２１の深さは、プランター１０の高さよりも深く形成されている。
【００２９】
延出部支持部２２は、貯水部２１の上方の周囲に形成されており、コンクリートブロック２０上面に対して、プランター１０の延出部１２の高さと同じ長さ分一段低い位置に形成され、プランター１０の延出部１２を上面で支持することができる。これにより、プランター１０を側方から視認されるのが防止され、美観性に優れたプランター保持コンクリートブロック１００となる。
【００３０】
水位調整用貫通孔２３は、貯水部２１の内側壁からコンクリートブロック２０の外壁まで貫通するように設けられる。実施例１においては、水位調整用貫通孔２３は、水位調整用貫通孔２３の底面２３ａがプランター１０の底面１３よりやや高い位置となるように設けられている（図２参照）。
【００３１】
排水用貫通孔２４は、貯水部２１の内側壁からコンクリートブロック２０の外壁まで貫通するように設けられる。排水用貫通孔２４は、排水用貫通孔２４の底面２４ａが貯水部２１の底面２６と同一高さになるように設けられ。この排水用貫通孔２４は、貯水部２１の内側壁側からゴム栓４０などにより封鎖可能に設けられる。
【００３２】
水誘導用溝部２５は、外壁に垂直に設けられた溝であり、水位調整用貫通孔２３と排水用貫通孔２４とを介してコンクリートブロック２０の下面まで設けられている。
【００３３】
以上のように作製されたプランター１０及びコンクリートブロック２０は、図に示すように以下のようにしてプランター保持コンクリートブロックとされる。まず、コンクリートブロック２０の排水用貫通孔２４をゴム栓４０により封止する。その後、任意の植物を栽培したプランター１０をコンクリートブロック２０の貯水部２１に上面側から配置する。プランター１０を上面側から配置すると、プランター１０の延出部１２が、コンクリートブロック２０の延出部支持部２２により支持されて、プランター１０の底面１３が貯水部の底面２６から離間し、貯水部２１の中位位置になるように配置される。また、貯水部２１の開口の長さがプランター１０より長いので、プランター１０と開口内壁との間には隙間３０が設けられる。こうしてプランター保持コンクリートブロック１００は、図５に示すように、上面に植物が栽培されたコンクリートブロックとして道路等に配置して使用される。
【００３４】
プランター保持コンクリートブロック１００は、人工的に水をかけたり、雨が降ったりした場合に、土壌に浸透しきれない水又は隙間３０から注がれた水が貯水部２１内に貯水される。水は、水位調整用貫通孔２３まで貯水され、それ以上の水が注がれると水位調整用貫通孔２３より排出される。こうして、貯水部２１に貯水された水の水位は一定に保たれることになる。貯水部２１に貯水された水は、プランター１０の底面より高い位置に配置されるので、プランター１０内の土壌を常に湿潤な状態に保つことができる。自然の雨により水位がプランター１０の底面１３より上方に恒常的に存在するような位置に水位調整用貫通孔２３を設ければ、水やりの必要性を大きく低減させることができる。もし、水がプランター１０の底面より下方になった場合であっても、プランター１０と貯水部２１との間には隙間３０が設けられているので、容易に隙間から貯水部２１に水を注いで溜めることができる。
【００３５】
さらに、水位調整用貫通孔２３及び排水用貫通孔２４から排水される水は、水誘導用溝部２５を流れるので、外壁面に広がることを防止することができる。また、外壁面に広く流れる水の跡が残ることを防止できるため、美観に優れたプランター保持コンクリートブロック１００とすることができる。
【００３６】
さらに、貯水部２１の水が汚れたり、又はプランター保持コンクリートブロック１００を移動したりする場合等に貯水部２１の水を排出したい場合には、ゴム栓４０を抜くことによって、排水用貫通孔２４から貯水部２１の水を完全に排水することができる。
【００３７】
プランター１０をコンクリートブロック２０から取り外す場合は、プランター１０と貯水部２１との間には隙間３０が設けられているので、手を隙間３０に挿入することができ、容易にプランター１０を取り外すことができる。
【実施例２】
【００３８】
図６は、本発明のプランター保持コンクリートブロック１００の実施例２の構成の概略を示す斜視図である。実施例２にかかるプランター保持コンクリートブロック１００も実施例１と同様に、栽培するためのプランター１０と、コンクリートブロック２０と、を備えている。プランター１０の構成は、実施例１と同様であるので説明を省略する。
【００３９】
コンクリートブロック２０は、上面に設けられた貯水部２１と、この貯水部２１の周囲に設けられた延出部支持部２２と、この貯水部２１の内側壁から外壁まで貫通している水位調整用貫通孔２３及び排水用貫通孔２４と、を主として備えている。
【００４０】
実施例２にかかるコンクリートブロック２０の外周壁は、図６に示すように、一般のガードレールの凹凸面と同様の凹凸面となるように周囲に横溝２９が設けられている。
【００４１】
貯水部２１は、略直方体に形成されている。貯水部２１は、貯水部２１の幅はプランター１０の容器部の幅Ａとほぼ同等の幅に形成され、貯水部２１の長さはプランター１０の長さＢの２倍の長さよりも長く形成された矩形の開口を有している。貯水部２１の深さは、プランター１０の高さよりも深く形成されている。
【００４２】
水位調整用貫通孔２３及び排水用貫通孔２４の構成は、実施例１と同様の位置に設けられている。この際に水位調整用貫通孔２３及び排水用貫通孔２４のコンクリートブロック２０の外壁側の開口は横溝２９に形成される。
【００４３】
以上のように作製されたプランター１０及びコンクリートブロック２０は、実施例１と同様に、まず、コンクリートブロック２０の排水用貫通孔２４をゴム栓により封止し、任意の植物を栽培された２つのプランター１０をコンクリートブロック２０の貯水部２１に上面から配置して使用される。本実施例２にかかるプランター保持コンクリートブロック１００によれば、プランターを２つ設置可能であるので、より多くの植物を栽培することができ、緑化に貢献することができる。また、より長いプランターを設置することも可能である。
【００４４】
また、図７に示すように、側面がガードレールの凹凸面と同様の形状をしているので、ガードレールと連設した場合に、ガードレールと同化しやすくすることができ、違和感なく配置することができる。
【実施例３】
【００４５】
図８は、本発明のプランター保持コンクリートブロック１００の実施例３の構成の概略を示す斜視図である。実施例３にかかるプランター保持コンクリートブロック１００も実施例１と同様に、栽培するためのプランター１０と、コンクリートブロック２０と、を備えている。プランター１０の構成は、実施例１と同様であるので説明を省略する。
【００４６】
実施例３に係るコンクリートブロック２０は、長手方向端部に、両端部が円弧状に形成されてなるとともに、該両端の一方の端部に上側が側方に突出して形成されてなる上側突出部２７と、反対側の他方の端部に下側が側方に突出して形成されてなる下側突出部２８と、を備えてなり、隣接するコンクリートブロックと嵌合した際に、嵌合部を支点として回動自在となるように下側突出部２８の上面に円形凸状に形成された嵌合凸部２８ａと、上側突出部２７の下面に円形凹状に形成された嵌合凹部２７ａと、を備えている。コンクリートブロック２０の外周壁は、一般のガードレールの凹凸面と同様の凹凸面となるように周囲に横溝２９が設けられている。貯水部２１の構成は、実施例２と同様である。
【００４７】
以上のように作製されたプランター１０及びコンクリートブロック２０は、実施例１と同様に、まず、コンクリートブロック２０の排水用貫通孔２４をゴム栓により封止し、任意の植物を栽培された２つのプランター１０をコンクリートブロック２０の貯水部２１に上面から配置して使用される。
【００４８】
本実施例３にかかるプランター保持コンクリートブロック１００によれば、図９に示すように、ガードレールを設置するコンクリートブロック２０と連結して配置することができるようになる。また、コンクリートブロック２０が互い違いに組まれるので、
【００４９】
なお、本発明は上述した実施例に何ら限定されるものではなく、本発明の技術的範囲に属する限り種々の態様で実施しうる。
【００５０】
上述した実施例では、コンクリートブロック２０の延出部支持部２２の位置が、プランター１０の延出部１２の高さ分低く形成されているが、これに限定するものではなく、プランター１０の延出部１２を支持できるように設けられていれば構わない。プランター１０の延出部１２の高さより低い位置に形成すれば、側方から視認した際にプランター１０が観者から視認されることがないため、美観的に優れたプランター保持コンクリートブロック１００となる。
【００５１】
また、上述した実施例では、水位調整用貫通孔２３及び排水用貫通孔２４は、それぞれ１つずつ設けてあるが、必ずしも１つである必要はなく、複数設けても構わない。複数設けることによって、大雨の際等に雨水が貯水部から溢れるような状態を防止することができる。
【産業上の利用可能性】
【００５２】
上述した実施の形態で示すように、植物を栽培するプランターを設置可能な土木用のコンクリートブロックとして産業上利用可能である。
【符号の説明】
【００５３】
１０…プランター、１１…容器部、１２…延出部、１３…底面、２０…コンクリートブロック、２１…貯水部、２２…延出部支持部、２３…水位調整用貫通孔、２３ａ…底面、２４…排水用貫通孔、２４ａ…底面、２５…水誘導用溝部、２６…底面、２７…上側突出部、２７ａ…嵌合凹部、２８…下側突出部、２８ａ…嵌合凸部、２９…横溝、３０…隙間、４０…ゴム栓、１００…プランター保持コンクリートブロック。
【図１】
2012110254.tif 000003
【図２】
2012110254.tif 000004
【図３】
2012110254.tif 000005
【図４】
2012110254.tif 000006
【図５】
2012110254.tif 000007
【図６】
2012110254.tif 000008
【図７】
2012110254.tif 000009
【図８】
2012110254.tif 000010
【図９】
2012110254.tif 000011